(57)【要約】【課題】投光方向が変更可能、且つ指向性を有する光とは別個の方向に光を放射することができ、光による遊技演出の向上を図ることができる遊技機を提供する。【解決手段】照明装置２５は、光源３３と、光源３３からの光が当該照明装置２５の側方へ透過することを規制する筒状のカバー部材３９と、該カバー部材３９を回動可能な回動機構３６とを備え、カバー部材３９の回動中心軸Ｃを、カバー部材３９の中央部分を通り前面枠３の前後方向に沿って延在する姿勢に設定し、カバー部材３９の前端部には第１光透過部４１を備え、該第１光透過部４１の中心部を回動中心軸Ｃ上から外れた位置に設定し、カバー部材３９の外周壁のうち回動中心軸Ｃを挟んで第１光透過部４１の中心部とは反対側に位置する部分には、光源３３からの光が照明装置２５の側方へ透過することを許容する第２光透過部４７を第１光透過部４１よりも小さく設定して備えた。【選択図】図５
2010088603.tif 000002
【特許請求の範囲】
【請求項１】
前面枠の前面側に、投光方向を変更可能な照明装置を備えた遊技機において、
前記照明装置は、当該照明装置を前面枠に取り付けるためのベース部材と、該ベース部材の前面側に配置された光源と、光源の側方を包囲して、光源からの光が当該照明装置の側方へ透過することを規制する筒状のカバー部材と、該カバー部材を回動可能な回動機構と、を備え、
前記カバー部材の回動中心軸を、カバー部材の中央部分を通り前面枠の前後方向に沿って延在する姿勢に設定し、
前記カバー部材の前端部には、光源からの光が照明装置の前方へ透過することを許容する第１光透過部を備え、該第１光透過部の中心部を回動中心軸上から外れた位置に設定し、
前記カバー部材の外周壁のうち回動中心軸を挟んで第１光透過部の中心部とは反対側に位置する部分には、光源からの光が照明装置の側方へ透過することを許容する第２光透過部を第１光透過部よりも小さく設定して備えたことを特徴とする遊技機。
【請求項２】
前記光源の中心部と第１光透過部の中心部とを結ぶ直線を投光軸線とし、
前記カバー部材の内部のうち第１光透過部と光源との間には、光源からの光を投光軸線に沿う方向へ屈曲させる屈曲レンズ部をカバー部材と共回りする状態で備えたことを特徴とする請求項１に記載の遊技機。
【請求項３】
前記第１光透過部は、屈曲レンズ部により屈曲された光を収束させて透過させる収束レンズ体であることを特徴とする請求項２に記載の遊技機。
【請求項４】
前記カバー部材の内部のうち第２光透過部を挟んで光源とは反対側には、反射面を光源および第２光透過部へ臨ませた反射部材を備え、光源からの光を反射部材の反射面で反射させて第２光透過部へ透過させるように構成されたことを特徴とする請求項１から請求項３のいずれかに記載の遊技機。
【発明の詳細な説明】
【技術分野】
【０００１】
本発明は、前面枠の前面側に、投光方向を変更可能な照明装置を備えたパチンコ遊技機等の遊技機に関する。
【背景技術】
【０００２】
従来の遊技機、例えば、パチンコ遊技機やスロットマシンにおいては、前面枠の前面側に照明装置を備え、遊技の進行中や客待ち状態中に光による装飾演出を行って、遊技の興趣の向上を図ったり、周囲の遊技者へアピール（客寄せ）したりできるように構成されているものが一般的である。このような構成を備えた遊技機の中には、ムービングライトのような演出効果の高い照明装置を採用しているものが知られている（例えば、特許文献１）。
【特許文献１】特開２００８−１３２０５８号公報
【発明の開示】
【発明が解決しようとする課題】
【０００３】
ところで、上記特許文献に記載のムービングライトは、指向性を有する光を特定の一方向にのみ投光する構成になっているため、例えば、投光方向を遊技者に向けている場合には、当該遊技者側とは異なる方向へ投光することができず、遊技機の周囲へ投光してアピールを行うことができない。さらに、可動するライト本体に光源が内蔵されているため、光源に接続される配線がライト本体の可動により負荷を受けてしまい断線する虞がある。
【０００４】
そこで、本発明は、上記の事情に鑑みてなされたものであり、その目的は、投光方向が変更可能、且つ指向性を有する光とは別個の方向に光を放射することができ、光による遊技演出の向上を図ることができる遊技機を提供しようとするものである。
【課題を解決するための手段】
【０００５】
本発明は、上記目的を達成するために提案されたものであり、請求項１に記載のものは、前面枠の前面側に、投光方向を変更可能な照明装置を備えた遊技機において、
前記照明装置は、当該照明装置を前面枠に取り付けるためのベース部材と、該ベース部材の前面側に配置された光源と、光源の側方を包囲して、光源からの光が当該照明装置の側方へ透過することを規制する筒状のカバー部材と、該カバー部材を回動可能な回動機構と、を備え、
前記カバー部材の回動中心軸を、カバー部材の中央部分を通り前面枠の前後方向に沿って延在する姿勢に設定し、
前記カバー部材の前端部には、光源からの光が照明装置の前方へ透過することを許容する第１光透過部を備え、該第１光透過部の中心部を回動中心軸上から外れた位置に設定し、
前記カバー部材の外周壁のうち回動中心軸を挟んで第１光透過部の中心部とは反対側に位置する部分には、光源からの光が照明装置の側方へ透過することを許容する第２光透過部を第１光透過部よりも小さく設定して備えたことを特徴とする遊技機である。
【０００６】
請求項２に記載のものは、前記光源の中心部と第１光透過部の中心部とを結ぶ直線を投光軸線とし、
前記カバー部材の内部のうち第１光透過部と光源との間には、光源からの光を投光軸線に沿う方向へ屈曲させる屈曲レンズ部をカバー部材と共回りする状態で備えたことを特徴とする請求項１に記載の遊技機である。
【０００７】
請求項３に記載のものは、前記第１光透過部は、屈曲レンズ部により屈曲された光を収束させて透過させる収束レンズ体であることを特徴とする請求項２に記載の遊技機である。
【０００８】
請求項４に記載のものは、前記カバー部材の内部のうち第２光透過部を挟んで光源とは反対側には、反射面を光源および第２光透過部へ臨ませた反射部材を備え、光源からの光を反射部材の反射面で反射させて第２光透過部へ透過させるように構成されたことを特徴とする請求項１から請求項３のいずれかに記載の遊技機である。
【発明の効果】
【０００９】
本発明によれば、以下のような優れた効果を奏する。
請求項１に記載の発明によれば、前面枠の前面側に、投光方向を変更可能な照明装置を備えた遊技機において、照明装置は、当該照明装置を前面枠に取り付けるためのベース部材と、該ベース部材の前面側に配置された光源と、光源の側方を包囲して、光源からの光が当該照明装置の側方へ透過することを規制する筒状のカバー部材と、該カバー部材を回動可能な回動機構とを備え、カバー部材の回動中心軸を、カバー部材の中央部分を通り前面枠の前後方向に沿って延在する姿勢に設定し、カバー部材の前端部には、光源からの光が照明装置の前方へ透過することを許容する第１光透過部を備え、該第１光透過部の中心部を回動中心軸上から外れた位置に設定し、カバー部材の外周壁のうち回動中心軸を挟んで第１光透過部の中心部とは反対側に位置する部分には、光源からの光が照明装置の側方へ透過することを許容する第２光透過部を第１光透過部よりも小さく設定して備えたので、投光方向が変更可能、且つ指向性を有する光とは別個の方向に光を照明装置から放射することができ、光による遊技演出の向上を図ることができる。また、光源を移動せずに投光方向を変更することができ、光源へ電源を供給する配線に負荷が掛かって断線する不都合がない。
【００１０】
請求項２に記載の発明によれば、光源の中心部と第１光透過部の中心部とを結ぶ直線を投光軸線とし、カバー部材の内部のうち第１光透過部と光源との間には、光源からの光を投光軸線に沿う方向へ屈曲させる屈曲レンズ部をカバー部材と共回りする状態で備えたので、簡単な構造で第１光透過部から投光される光に指向性を付与することができる。
【００１１】
請求項３に記載の発明によれば、第１光透過部を、屈曲レンズ部により屈曲された光を収束させて透過させる収束レンズ体としたので、指向性を有した第１光透過部からの光を強めることができ、遊技演出の効果の向上を一層図ることができる。
【００１２】
請求項４に記載の発明によれば、カバー部材の内部のうち第２光透過部を挟んで光源とは反対側には、反射面を光源および第２光透過部へ臨ませた反射部材を備え、光源からの光を反射部材の反射面で反射させて第２光透過部へ透過させるように構成したので、光源からの光を確実に第２光透過部へ通して照明装置の側方へ向けて放射することができる。
【発明を実施するための最良の形態】
【００１３】
以下、代表的な遊技機であるパチンコ遊技機を例に挙げて本発明の実施の最良の形態を図面に基づき説明する。図１はパチンコ遊技機の斜視図である。
パチンコ遊技機１は、図１に示すように、機枠（外枠）２に前面枠（内枠）３を開閉可能に軸着し、該前面枠３のベースとなる前面枠本体４に矩形状の遊技盤（図示せず）を収納可能とし、前面枠３の前面側には、一側（図１中、左側）が軸着された透明部材保持枠９を開閉（回動）可能に設け、該透明部材保持枠９に透視可能な透明部材１０を保持している。そして、透明部材保持枠９を閉じると、遊技盤が透明部材保持枠９により覆われるとともに、透明部材１０が遊技盤の前方に配置され、透明部材１０を通して遊技盤の表面をパチンコ遊技機１の前方から視認できるように構成している。さらに、透明部材保持枠９の下部には上皿ユニット１１を設け、透明部材保持枠９の上部の左右両側には装飾ユニット１２を備え（図２参照）、両装飾ユニット１２の間には装飾ブロック１３を配置し、装飾ユニット１２および装飾ブロック１３を透明樹脂製の横長な装飾カバー１４で被覆している。また、上皿ユニット１１の下方には下皿ユニット１７を配置し、下皿ユニット１７の左右方向の中央部には下皿１８を設け、該下皿１８の一側方（図１中、左側方）には灰皿１９を配置し、他側方（図１中、右側方）には、遊技球を発射するために操作される発射操作ユニット（発射操作ハンドル）２０を備えている。
【００１４】
次に、装飾ユニット１２について説明する。
装飾ユニット１２は、図３および図４に示すように、当該装飾ユニット１２の基部となるユニットベース２３を備え、該ユニットベース２３の左右方向の中央部には、大きな円形状の照明装着開口２４を当該装飾ユニット１２の前後方向に貫通して開設し、照明装着開口２４には、投光方向を変更可能な照明装置２５を前側部がユニットベース２３の前面よりも前方へ突出する状態で嵌合している。また、ユニットベース２３の装飾ブロック１３側（図４中、右側）、言い換えると、ユニットベース２３のうち前面枠３の左右方向の中央寄りに位置する箇所には、照明装着開口２４よりも小さい円形状のランプ装着開口２６を当該装飾ユニット１２の前後方向に貫通して開設し、ランプ装着開口２６には、透明部材保持枠９の開状態、または前面枠３の開状態を発光により報知する報知ランプ２７を前側部がユニットベース２３の前面よりも前方へ突出する状態で嵌合している。さらに、ユニットベース２３の前面のうち照明装着開口２４を挟んでランプ装着開口２６とは反対側（図４中、左側）には金属製の補強プレート２８を止着し、該補強プレート２８の前面にはブロック形状の装飾部材２９を止着している。
【００１５】
照明装置２５は、図５および図６に示すように、当該照明装置２５をユニットベース２３（乃至は前面枠３）に取り付けるためのベース部材３１を縦向き円形状に設定して備え、該ベース部材３１の中心部には軸受部３２を軸受孔が照明装置２５の前後方向に沿って延在する状態で備えている。また、ベース部材３１の前面側（言い換えるとユニットベース２３を挟んで前面枠本体４とは反対側）には、発光基板３３ａにランプやＬＥＤなどの発光体３３ｂを実装した光源３３を配置し、該光源３３の中央には軸受部３２の前端部を基板開口３３ｃから前方へ突出している。そして、ベース部材３１の前方には円筒状のカバーユニット３５を設けるとともに、ベース部材３１の後方（ベース部材３１よりも前面枠本体４側の位置）には回動機構３６を設け、回動機構３６から前方へ延出された回動軸３７を軸受部３２へ回動自在な状態で挿通し、回動軸３７のうち軸受部３２から前方へ突出した前端部をカバーユニット３５へ止着して、回動機構３６によりカバーユニット３５を回動できるように構成されている。なお、ベース部材３１の外縁部には、照明装置２５をユニットベース２３へ止着するための止着片３１ａを外方へ向けて突設している。
【００１６】
カバーユニット３５は、当該カバーユニット３５の外周部を形成する筒状（詳しくは円筒状）のカバー部材３９と、該カバー部材３９の内部に収容された屈曲レンズ部４０と、該屈曲レンズ部４０の前方、言い換えると屈曲レンズ部４０を挟んで光源３３とは反対側となるカバー部材３９の前端部に配置された第１光透過部４１とを備えて構成されている。また、図５（ｂ）に示すように、当該カバーユニット３５の後側（ベース部材３１側）の中央部分に回動軸３７の先端部（前端部）を止着して、当該カバーユニット３５（カバー部材３９、屈曲レンズ部４０、第１光透過部４１）の回動中心軸Ｃを回動軸３７の中心線と同一直線上に設定するとともに、回動中心軸Ｃをカバー部材３９の中央部分を通り前面枠３の前後方向に沿って延在する姿勢に設定し、カバー部材３９、屈曲レンズ部４０、第１光透過部４１を回動中心軸Ｃが中心となって共回りするように構成されている。さらに、光源３３の中心部と第１光透過部４１の中心部とを結ぶ直線を投光軸線Ｌとし、この投光軸線Ｌを回動中心軸Ｃに対して傾斜した姿勢、詳しくは、投光軸線Ｌがカバーユニット３５の前側に向かうにつれて回動中心軸Ｃから外方に離れる姿勢に設定している。
【００１７】
カバー部材３９は、図６に示すように、開放口３９ａ，３９ｂを前後両端に位置する姿勢で設定された不透明の円筒状部材であり、当該カバー部材３９の後側開放口３９ａ内に光源３３を配置して光源３３の側方を包囲し、光源３３からの光が照明装置２５の側方へ透過することを規制するとともに、前側開放口３９ｂから照明装置２５の前方へ向けて透過することを許容している。また、図５（ｂ）に示すように、前側開放口３９ｂを中心が回動中心軸Ｃ上から外れた円形状に設定し、カバー部材３９の円筒中心軸（前側開放口３９ｂの中心と後側開放口３９ａの中心とを通る中心軸）Ｓと、回動中心軸Ｃとの離間距離が後側開放口３９ａ側から前側開放口３９ｂ側へ向けて次第に広くなるように構成されている。そして、前側開放口３９ｂの中心部に第１光透過部４１の中心部を重合するとともに、後側開放口３９ａの中心部に光源３３の中心部を重合して、円筒中心軸Ｓと投光軸線Ｌとが同一直線上に位置する状態に設定し、第１光透過部４１の中心部を回動中心軸Ｃ上から外れた位置に設定している。
【００１８】
屈曲レンズ部４０は、図５（ｂ）に示すように、カバー部材３９の前側開放口３９ｂと後側開放口３９ａとの間、言い換えると、カバー部材３９の内部のうち第１光透過部４１と光源３３との間に配置された透明な円板状のレンズ部材であり、投光軸線Ｌに直交する姿勢に設定されている。詳しくは、投光軸線Ｌが当該屈曲レンズ部４０の中心部を通り、且つ当該屈曲レンズ部４０の円形面（表面および裏面）に対して直交する姿勢に設定されている。そして、後方の光源３３から放射された光を当該屈曲レンズ部４０の裏面側から入射させ、投光軸線Ｌに沿う方向に屈曲して当該屈曲レンズ部４０の前方、詳しくは第１光透過部４１の裏面側へ向けて出射させるように構成されている。さらに、屈曲レンズ部４０の外周縁には透明な円環状の屈曲側スリーブ４３を後方の光源３３側へ向けて延設し、屈曲側スリーブ４３の後部の内側に光源３３の発光体３３ｂの先端部を収容し、屈曲側スリーブ４３の外周面をカバー部材３９の内周面に係止して当該屈曲レンズ部４０とカバー部材３９とを共回り可能としている。また、屈曲レンズ部４０の裏面側（光源３３側）の中央部には接続ボス４４を光源３３側へ向けて突設し、該接続ボス４４に後述する回動機構３６の回動軸３７の先端部を止着している。
【００１９】
第１光透過部４１は、図５（ａ），（ｂ）に示すように、カバー部材３９の前側開放口３９ｂを閉塞可能な円形状の収束レンズ体で構成されており、投光軸線Ｌに直交する姿勢に設定されている。詳しくは、投光軸線Ｌが当該第１光透過部４１の中心部を通り、且つ当該第１光透過部４１の円形面（表面および裏面）に対して直交する姿勢に設定されている。また、第１光透過部４１のうち光源３３側を向いた裏面を凸状に形成し、カバーユニット３５を挟んで光源３３とは反対側を向いた前面には、３つの凸レンズ部４１ａを第１光透過部４１の中心部の周りに１２０度ずつ位相がずれた状態で形成している。そして、光源３３から放射された光（詳しくは屈曲レンズ部４０を透過して投光軸線Ｌに沿う方向へ屈曲された光）を当該第１光透過部４１の裏面に受けて収束させ、この収束した光を凸レンズ部４１ａからカバーユニット３５の前方へ投光可能とし、光源３３からの光が照明装置２５の前方へ透過することを許容している。さらに、第１光透過部４１の外周縁には円環状の透過側スリーブ４５を光源３３側へ向けて延設し、該透過側スリーブ４５をカバー部材３９の内周面に係止して第１光透過部４１をカバー部材３９と共回りする状態に設定している。また、透過側スリーブ４５の後端（屈曲レンズ部４０側の端部）を屈曲レンズ部４０の前面に当接し、第１光透過部４１と屈曲レンズ部４０とが間隔を開けて位置決めされるように構成されている。
【００２０】
さらに、カバーユニット３５は、カバー部材３９の外周壁のうち回動中心軸Ｃを挟んで第１光透過部４１の中心部とは反対側に位置する部分に、カバー部材３９の円周方向に沿って長尺な光透過開口部３９ｃを前側開放口３９ｂよりも小さい大きさで開設し（図６参照）、該光透過開口部３９ｃには、第１光透過部４１よりも小さい透明レンズ体からなる第２光透過部４７を嵌合している。そして、光源３３から放射された光が第２光透過部４７を通ってカバーユニット３５の側方（照明装置２５の側方）へ透過することを許容し、前記投光軸線Ｌとは異なる方向、詳しくは投光軸線Ｌとは直交する方向に沿って放射されるように構成されている（図７参照）。さらに、図５（ｂ）および図６に示すように、第２光透過部４７（光透過開口部３９ｃ）を屈曲レンズ部４０よりも光源３３寄り（屈曲レンズ部４０を挟んで第１光透過部４１とは反対側）に配置し、屈曲側スリーブ４３のうち第２光透過部４７に対向する箇所には連通開口４３ａを開設して、光源３３からの光が連通開口４３ａを通して直接第２光透過部４７へ照射できるように構成されている。
【００２１】
次に、回動機構３６について説明する。
回動機構３６は、図６に示すように、当該回動機構３６のベースとなるモータブラケット５０をベース部材３１の裏面に止着して備え、該モータブラケット５０の裏面（モータブラケット５０を挟んでカバーユニット３５とは反対面）に回動駆動源としての回動モータ５１を出力軸５１ａがカバーユニット３５の回動中心軸Ｃと平行になる姿勢、且つモータブラケット５０の前方へ向けて突出する状態で止着し、出力軸５１ａの突出端には駆動ギア５２を共回り可能な状態で軸着している。また、駆動ギア５２の側方（図６中、右側方）には、駆動ギア５２と噛合する回動ギア５３を回動中心が回動中心軸Ｃ上に位置する姿勢で備え、回動ギア５３の回動中心には、軸受部３２に支持される回動軸３７の回動モータ５１側の端部（後端部）を止着して回動ギア５３と回動軸３７とを共回り可能としている。そして、回動軸３７を軸受部３２へ回動自在な状態で挿通し、回動軸３７のカバーユニット３５側の端部（前端部）を軸受部３２から前方へ突出するとともに屈曲レンズ部４０の接続ボス４４へ共回り可能な状態で止着している。また、モータブラケット５０には回動位置センサ５４を設け、該回動位置センサ５４により回動ギア５３に設けられた検出片５３ａを検出して回動軸３７の回動位置、ひいてはカバーユニット３５の姿勢（回動位置）を検出できるように構成されている。
【００２２】
このような構成を備えた照明装置２５において光源３３の発光体３３ｂを発光させると、照明装置２５は、光源３３の光を屈曲レンズ部４０の裏面や屈曲側スリーブ４３の内周面へ向けて照射する。そして、屈曲レンズ部４０へ照射された光を投光軸線Ｌの方向へ屈曲させて指向性を付与し、さらには第１光透過部４１へ通して収束させ、投光軸線Ｌの延長線上に沿って照明装置２５の前方へ照射する。また、屈曲側スリーブ４３の内周面へ向けて照射された光のうち連通開口４３ａおよびその周辺に到達した光を第２光透過部４７へ透過させて、照明装置２５の側方、詳しくは照明装置２５の側方のうちカバーユニット３５の回動中心軸Ｃを挟んで第１光透過部４１の中心部とは反対側へ向けて照射する。さらに、第１光透過部４１および第２光透過部４７から光を透過させた状態で、回動機構３６の回動モータ５１を駆動し、カバーユニット３５を回動すると、第１光透過部４１から透過する光の投光方向と第２光透過部４７から透過する光の投光方向とを、両投光方向の相対関係（２つの投光方向がなす角）を維持しながら変化させる。
【００２３】
例えば、図７（ａ）に示すように、カバーユニット３５を回動して第１光透過部４１を照明装置２５の前側下方へ臨ませる姿勢、且つ第２光透過部４７をカバーユニット３５の上部に位置する姿勢へ変換すると、第１光透過部４１からの光をパチンコ遊技機１の前方下側、詳しくはパチンコ遊技機１の前方に着席する遊技者側へ向けて照射する。そして、第２光透過部４７からの光を第１光透過部４１からの光の投光方向とは異なる方向、具体的には、パチンコ遊技機１の上方（遊技店の天井）へ向けて照射する。また、図７（ｂ）に示すように、カバーユニット３５を回動して第１光透過部４１を照明装置２５の前側上方へ臨ませる姿勢、且つ第２光透過部４７をカバーユニット３５の下部に位置する姿勢へ変換すると、第１光透過部４１からの光をパチンコ遊技機１の前方上側、詳しくはパチンコ遊技機１の前方に着席する遊技者の頭上へ向けて照射する。そして、第２光透過部４７からの光を第１光透過部４１からの投光方向とは異なる方向、具体的には照明装置２５の下方へ向けて照射して、パチンコ遊技機１と遊技者との間の空間や、発射操作ユニット２０を把持する遊技者の手元を照らす。したがって、投光方向が変更可能、且つ指向性を有する光（第１光透過部４１からの光）とは別個の方向に光（第２光透過部４７からの光）を照明装置２５から放射することができ、光による遊技演出の向上を図ることができる。また、光源３３を移動せずに投光方向を変更することができ、光源３３へ電源を供給する配線に負荷が掛かって断線する不都合がない。
【００２４】
そして、照明装置２５は、カバー部材３９の内部のうち第１光透過部４１と光源３３との間に、光源３３からの光を投光軸線Ｌに沿う方向へ屈曲させる屈曲レンズ部４０をカバー部材３９と共回りする状態で備えたので、簡単な構造で第１光透過部４１から投光される光に指向性を付与することができる。また、第１光透過部４１を収束レンズ体で構成し、屈曲レンズ部４０により屈曲された光を収束させるようにしたので、指向性を有した第１光透過部４１からの光を強めることができ、遊技演出の効果の向上を一層図ることができる。
【００２５】
ところで、上記実施形態では、第２光透過部４７を屈曲レンズ部４０よりも光源３３側に配置したが、本発明はこれに限定されない。例えば、図８に示す第２実施形態では、基本的には第１実施形態と同じであるが、第２光透過部４７を屈曲レンズ部４０よりも第１光透過部４１側に配置している。また、カバー部材３９の内部、詳しくはカバー部材３９の前側開放口３９ｂのうち第２光透過部４７側の開口縁（図８中、上側の開口縁）には、前側開放口３９ｂの開口縁から屈曲レンズ部４０の中心部側へ向けて延出した反射部材５７をカバー部材３９と共回りする状態で備え、該反射部材５７のうち屈曲レンズ部４０の光出射面（前面）および第２光透過部４７に臨ませた表面に鏡面処理等を施して反射面５７ａとし、該反射面５７ａを光源３３の発光体３３ｂへ透明な屈曲レンズ部４０を介して臨ませている。
【００２６】
このような構成の反射部材５７を照明装置２５に備え、光源３３の発光体３３ｂを発光させると、照明装置２５は、光源３３の光を屈曲レンズ部４０の裏面等へ向けて照射し、屈曲レンズ部４０へ照射された光を投光軸線Ｌの方向へ屈曲させて指向性を付与し、この状態で第１光透過部４１の裏面および反射部材５７へ照射する。そして、第１光透過部４１の裏面（光入射面）に照射された光を第１光透過部４１内へ通して収束させ、第１光透過部４１の前面（光出射面）から投光軸線Ｌの延長線上に沿って照明装置２５の前方へ照射する。また、反射部材５７に照射された光を反射面５７ａで第２光透過部４７側へ反射し、さらには第２光透過部４７へ透過させて照明装置２５の側方、詳しくは照明装置２５の側方のうちカバーユニット３５の回動中心軸Ｃを挟んで第１光透過部４１の中心部とは反対側へ向けて照射する。したがって、第２光透過部４７が光源３３から屈曲レンズ部４０よりも離れて第１光透過部４１寄りに配置されたとしても、光源３３からの光を反射部材５７により確実に第２光透過部４７へ通して照明装置２５の側方へ向けて放射することができる。
【００２７】
なお、本発明における反射部材５７は、第２光透過部４７の位置に拘らず、光源３３の光を第２光透過部４７へ反射できればどのような構成であってもよい。例えば、第１実施形態、詳しくは第２光透過部４７を屈曲レンズ部４０よりも光源３３側に配置した場合であっても、第２光透過部４７を挟んで光源３３とは反対側（第１光透過部４１側）に反射部材５７を配置し、光源３３からの光を反射部材５７の反射面５７ａで第２光透過部４７へ照射してもよい。
【００２８】
ところで、上記実施形態では、カバー部材３９を円筒状に形成したが、本発明はこれに限定されない。要は、光源３３の側方を包囲して、光源３３からの光が照明装置２５の側方へ透過することを規制できればどのような構成のカバー部材であってもよい。例えば、カバー部材を断面が多角形（例えば、三角形や四角形）となる筒状に設定してもよい。また、上記実施形態では、第１光透過部４１および第２光透過部４７を透明レンズ体で構成したが、本発明はこれに限定されない。要は、第１光透過部および第２光透過部から光源の光を透過できればよい。例えば、第１光透過部および第２光透過部を常時開放される開口窓で構成してもよい。さらに、照明装置２５は、透明部材保持枠９の上部に設けられることに限定されず、前面枠３の前面側であればどの位置に配置されていてもよい。
【００２９】
また、上記実施形態では、代表的な遊技機であるパチンコ遊技機を例にして説明したが、本発明はこれに限らず、前面枠の前面側に、投光方向を変更可能な照明装置を備えた遊技機であればどのような遊技機でもよい。例えば、スロットマシン、封入球式パチンコ機、アレンジボール式遊技機、雀球式遊技機等の遊技機であってもよい。
【００３０】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００３１】
【図１】パチンコ遊技機の斜視図である。
【図２】装飾カバーを外した状態の透明部材保持枠の部分拡大斜視図である。
【図３】装飾ユニットの斜視図である。
【図４】装飾ユニットの分解斜視図である。
【図５】照明装置の説明図であり、（ａ）は正面図、（ｂ）は（ａ）のＡ−Ａ断面図である。
【図６】照明装置の分解斜視図である。
【図７】光源を発光させた照明装置の説明図であり、（ａ）は第２光透過部を第１光透過部よりも上方に配置した姿勢における側面図、（ｂ）は第２光透過部を第１光透過部よりも下方に配置した姿勢における側面図である。
【図８】カバーユニット内に反射部材を備えた照明装置の断面図である。
【符号の説明】
【００３２】
１  パチンコ遊技機
３  前面枠
１２  装飾ユニット
１３  装飾ブロック
１４  装飾カバー
１７  下皿ユニット
２０  発射操作ユニット
２３  ユニットベース
２４  照明装着開口
２５  照明装置
２６  ランプ装着開口
２７  報知ランプ
２８  補強プレート
２９  装飾部材
３１  ベース部材
３２  軸受部
３３  光源
３３ａ  発光基板
３３ｂ  発光体
３３ｃ  開口部
３５  カバーユニット
３６  回動機構
３７  回動軸
３９  カバー部材
３９ａ  後側開放口
３９ｂ  前側開放口
３９ｃ  光透過開口部
４０  屈曲レンズ部
４１  第１光透過部
４３  屈曲側スリーブ
４５  透過側スリーブ
４７  第２光透過部
５０  モータブラケット
５１  回動モータ
５２  駆動ギア
５３  回動ギア
５７  反射部材
５７ａ  反射面
【図１】
2010088603.tif 000003
【図２】
2010088603.tif 000004
【図３】
2010088603.tif 000005
【図４】
2010088603.tif 000006
【図５】
2010088603.tif 000007
【図６】
2010088603.tif 000008
【図７】
2010088603.tif 000009
【図８】
2010088603.tif 000010